(57)【要約】【課題】  映像番組の再生中にバッテリが切れることがない映像再生装置を提供する。【解決手段】  この映像再生装置では、再生中の映画の残り時間とバッテリ６の残量値とを検出し、その検出結果に基づいて映画の再生が終了するまでに使用可能な電力を算出し、その算出結果と、液晶表示装置１１の画面の輝度と消費電力の関係を示すテーブルとに基づいて液晶表示装置１１の画面の輝度を算出し設定する。したがって、映画の再生中にバッテリ６が切れることはない。【選択図】        図１
2006033321.tif 000002
【特許請求の範囲】
【請求項１】
バッテリによって駆動される映像再生装置であって、
ディスクに記録された映像番組の映像信号を再生するＤＶＤ再生装置、
前記ＤＶＤ再生装置によって再生された映像信号に従って前記映像番組の映像を表示する液晶表示装置、
前記ＤＶＤ再生装置によって映像信号が再生されている映像番組の残り時間を検出する第１の検出手段、
前記バッテリの残量値を検出する第２の検出手段、
前記第１の検出手段によって検出された前記映像番組の残り時間と前記第２の検出手段によって検出された前記バッテリの残量値とに基づいて、前記映像番組の再生が終了するまでに使用可能な電力を算出する算出手段、
前記液晶表示装置の画面の輝度と消費電力の関係を示すテーブルまたは数式が格納されたメモリ、および
前記メモリに格納された前記テーブルまたは前記数式に基づいて前記算出手段によって算出された電力に対応する輝度を算出し、算出結果に基づいて前記液晶表示装置の画面の輝度を設定する設定手段を備える、映像再生装置。
【請求項２】
バッテリによって駆動される映像再生装置であって、
記録媒体に記録された映像番組の映像信号を再生する映像信号再生手段、
前記映像信号再生手段によって再生された映像信号に従って前記映像番組の映像を表示する映像表示装置、
前記映像信号再生手段によって映像信号が再生されている映像番組の残り時間を検出する第１の検出手段、
前記バッテリの残量値を検出する第２の検出手段、
前記第１の検出手段によって検出された前記映像番組の残り時間と前記第２の検出手段によって検出された前記バッテリの残量値とに基づいて、前記映像番組の再生が終了するまでに使用可能な電力を算出する算出手段、および
前記算出手段によって算出された電力に基づいて前記映像表示装置の画面の輝度を設定する設定手段を備える、映像再生装置。
【請求項３】
さらに、前記映像表示装置の画面の輝度と消費電量の関係を示すテーブルまたは数式が格納されたメモリを備え、
前記設定手段は、前記メモリに格納された前記テーブルまたは前記数式に基づいて前記算出手段によって算出された電力に対応する輝度を算出し、算出結果に基づいて前記液晶表示装置の画面の輝度を設定する、請求項２に記載の映像再生装置。
【請求項４】
前記映像信号再生手段はＤＶＤ再生装置であり、
前記映像表示装置は液晶表示装置である、請求項２または請求項３に記載の映像再生装置。
【発明の詳細な説明】
【技術分野】
【０００１】
この発明は映像再生装置に関し、特に、ＤＶＤ再生装置と液晶表示装置とを備え、バッテリーで駆動される映像再生装置に関する。
【背景技術】
【０００２】
従来より、ＤＶＤ再生装置と液晶表示装置とスピーカとを一体的に備え、バッテリで駆動されるポータブルな映像再生装置がある。液晶表示装置の画面の輝度は、ユーザによって調整される。この映像再生装置によれば、たとえばディスクに記録された映画を再生して所望の場所で見ることができる。
【０００３】
また、通常テキスト画面と動画鑑賞画面で輝度などの画面表示画質をボタン操作で容易に切換えることが可能な液晶表示装置もある（たとえば特許文献１参照）。
【特許文献１】特開２００２−１１６７３６号公報
【発明の開示】
【発明が解決しようとする課題】
【０００４】
しかし、従来の映像再生装置では、映画の再生中にバッテリが切れ、映画を最後まで見ることができない場合があった。
【０００５】
それゆえに、この発明の主たる目的は、映像番組の再生中にバッテリが切れることがない映像再生装置を提供することである。
【課題を解決するための手段】
【０００６】
この発明に係る映像再生装置は、バッテリによって駆動される映像再生装置であって、ディスクに記録された映像番組の映像信号を再生するＤＶＤ再生装置と、ＤＶＤ再生装置によって再生された映像信号に従って映像番組の映像を表示する液晶表示装置と、ＤＶＤ再生装置によって映像信号が再生されている映像番組の残り時間を検出する第１の検出手段と、バッテリの残量値を検出する第２の検出手段と、第１の検出手段によって検出された映像番組の残り時間と第２の検出手段によって検出されたバッテリの残量値とに基づいて、映像番組の再生が終了するまでに使用可能な電力を算出する算出手段と、液晶表示装置の画面の輝度と消費電力の関係を示すテーブルまたは数式が格納されたメモリと、メモリに格納されたテーブルまたは数式に基づいて算出手段によって算出された電力に対応する輝度を算出し、算出結果に基づいて液晶表示装置の画面の輝度を設定する設定手段とを備えたものである。
【発明の効果】
【０００７】
この発明に係る映像再生装置では、再生中の映像番組の残り時間とバッテリの残量値とを検出し、検出結果に基づいて映像番組の再生が終了するまでに使用可能な電力を算出し、その算出結果と、液晶表示装置の画面の輝度と消費電力の関係を示すテーブルまたは数式とに基づいて液晶表示装置の画面の輝度を算出し設定する。したがって、映像番組の再生中にバッテリが切れることはない。
【発明を実施するための最良の形態】
【０００８】
図１は、この発明の一実施の形態によるポータブルな映像再生装置の構成を示すブロック図である。図１において、この映像再生装置は、操作部１、ＣＰＵ（中央処理装置）２、モータドライバ３およびピックアップ４を備え、ディスク５がセットされる。
【０００９】
操作部１は、ユーザによって操作され、再生、停止、取出、輝度調節などの指示を与えるために用いられる。ＣＰＵ２は、操作部１を介して与えられた指示に従って、映像再生装置全体を制御する。モータドライバ３は、ＣＰＵ２からの信号に応答して、ピックアップ４を駆動させるための駆動信号を出力する。ピックアップ４は、モータドライバ３からの駆動信号によって駆動され、セットされたディスクの表面を走査し、ディスクに記録された情報を読み出してＣＰＵ２に与える。
【００１０】
また、この映像再生装置は、バッテリ６、バッテリ残量値検出部７、ＲＡＭ（Random Access Memory)８、フラッシュＲＯＭ(Read Only Memory)９、ビデオドライバ１０、液晶表示装置１１、オーディオＤＡＣ（Digital Analog Converter）１２、およびスピーカ１３を備える。
【００１１】
バッテリ６は、充電式の電池であり、電源電圧ＶＤＤを映像再生装置全体に与える。バッテリ残量値検出部７は、たとえばバッテリ６の電圧ＶＤＤから残量値を検出し、検出した残量値を示す信号φＶをＣＰＵ２に与える。ＲＡＭ８は、操作部１を介して入力された情報を一時的に記憶したり、ＣＰＵ２が所定の演算を行なうときのワークエリアとして用いられる。フラッシュＲＯＭ９は、映像再生装置の制御に必要な各種のプログラムや、液晶表示装置１１の画面の輝度と消費電力の関係を示す下記のようなテーブルを格納している。
【００１２】
【表１】
2006033321.tif 000003
【００１３】
ＣＰＵ２は、ピックアップ４によってディスク５から読み出された情報から再生中の映像番組の残り時間を算出し、算出した残り時間と信号φＶによって示されるバッテリ６の残量値とに基づいて、映像番組の再生が終了するまでに使用可能な最大電力を算出する。さらにＣＰＵ２は、算出した最大電力とフラッシュＲＯＭ８から読み出した上記テーブルから液晶表示装置１１の画面の輝度を求め、その輝度を示す信号φＬを液晶表示装置１１に与える。
【００１４】
また、ＣＰＵ２は、ピックアップ４によってディスク５から読み出された情報に基づいて映像信号および音声信号を再生し、再生した映像信号および音声信号をそれぞれビデオドライバ１０およびオーディオＤＡＣ１２に与える。
【００１５】
ビデオドライバ１０は、ＣＰＵ２からの映像信号に従って液晶表示装置１１を駆動するための駆動信号を出力する。液晶表示装置１１は、ビデオドライバ１０からの駆動信号に応答して映像を表示する。液晶表示装置１１の画面の輝度は、ＣＰＵ２からの信号φＬに応じたレベルに設定される。液晶表示装置１１はたとえばバックライトを含んでおり、信号φＬに従ってバックライトの電源電圧が制御され、液晶表示装置１１の画面の輝度が制御される。
【００１６】
オーディオＤＡＣ１２は、ＣＰＵ２からのデジタルの音声信号をアナログの音声信号に変換してスピーカ１３に与える。スピーカ１３は、オーディオＤＡＣからのアナログ音声信号に応答して音声を発生する。
【００１７】
図２は、図１に示した液晶表示装置１１の画面の輝度の設定動作を示すフローチャートである。図２において、ステップＳ１において、ＣＰＵ２は、ディスク５に記録された映画本編の再生中に、ユーザによって操作部１の輝度調節ボタンが押されるのを待機する。輝度調節ボタンが押された場合はステップＳ２において、ＣＰＵ２は、ピックアップ４からの情報が一連のシーケンシャルＰＧＣ（Program Chain）タイトルであるか否かを判別し、一連のシーケンシャルＰＧＣタイトルでない場合は再生中の映画の残り時間の算出が困難なので輝度調節を行わずに輝度調節を終了する。
【００１８】
一連のシーケンシャルＰＧＣタイトルである場合は、ステップＳ３において管理情報ＰＧＣＩからＰＧＣ（すなわち映画）の時間ｔ１を検出する。次にステップＳ４において、セルの時刻とＶＯＢＵ（Video Object Unit）の時刻とＳＴＣから現在の再生時刻（再生済み時間）ｔ２を算出する。次いでステップＳ５において、ｔ１からｔ２を減算して再生中の映画の残りの再生時間ｔ３＝ｔ１−ｔ２を算出する。
【００１９】
次にステップＳ６において、ＣＰＵ２は、バッテリ残量値検出部７からの信号φＶで示されるバッテリ６の残量値と、算出した残り再生時間ｔ３とに基づいて、映画の再生が終了するまでに使用可能な最大の電力Ｗ１を算出する。バッテリ６は使用により劣化するので、バッテリ６の使用時間を考慮して電力Ｗ１を補正しても良い。
【００２０】
次いでステップＳ７において、ＣＰＵ２は、算出した最大電力Ｗ１と、フラッシュＲＡＭ９に格納された上記輝度−消費電力のテーブルとに基づいて、液晶表示装置１１の画面の輝度を算出し、算出した輝度のレベルを示す信号φＬを液晶表示装置１１に与える。ステップＳ８において、液晶表示装置１１の画面の輝度は、ＣＰＵ２からの信号φＬに応じたレベルに設定され、映像はその輝度で再生される。
【００２１】
ステップＳ９において、ディスクの再生が終了したか否かが判別され、再生が終了していない場合はステップＳ３に戻り、再生が終了している場合は輝度調節動作を終了する。したがって、輝度調節ボタンが押された後は、ステップＳ３〜Ｓ９が再生終了まで所定の周期で繰返し行われる。
【００２２】
この実施の形態では、再生中の映画の残り時間とバッテリ６の残量値とに基づいて使用可能な電力を算出し、液晶表示装置１１の画面の輝度を算出した電力に応じた輝度に設定するので、映画の再生中にバッテリ６が切れて映画を見れなくなることがない。
【００２３】
また、ステップＳ３〜Ｓ９を所定の周期で繰り返すので、映像再生装置の振動などによるピックアップ４の移動やエラー訂正により余分な電力が必要になった場合でも、液晶表示装置１１の画面の輝度を再設定することができ、映画の再生中にバッテリ６が切れることを防止することができる。
【００２４】
なお、この実施の形態では、液晶表示装置１１の画面の輝度と消費電力の関係を示すテーブルをフラッシュＲＯＭ９に格納し、算出した最大電力Ｗ１とテーブルに基づいて液晶表示装置１１の画面の輝度を求めたが、液晶表示装置１１の画面の輝度と消費電力の関係を示す数式をフラッシュＲＯＭ９に格納し、算出した最大電力Ｗ１と数式に基づいて液晶表示装置１１の画面の輝度を求めても良い。
【００２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２６】
【図１】この発明の一実施の形態によるポータブルな映像再生装置の構成を示すブロック図である。
【図２】図１に示した映像再生装置の動作を示すフローチャートである。
【符号の説明】
【００２７】
１  操作部、２  ＣＰＵ、３  モータドライバ、４  ピックアップ、５  ディスク、６  バッテリ、７  バッテリ残量値検出部、８  ＲＡＭ、９  フラッシュＲＯＭ、１０  ビデオドライバ、１１  液晶表示装置、１２  オーディオＤＡＣ、１３  スピーカ。
【図１】
2006033321.tif 000004
【図２】
2006033321.tif 000005